(57)【要約】      （修正有）【課題】電子装置用置換可能な足パッド構造を提供する。【解決手段】電子装置用置換可能な足パッド構造は、その上に吊下げ孔が構成される殻を有する。足パッド構造は回転座屈アセンブリ１０、回転ノブ２０、及びパッド本体３０を含む。回転座屈アセンブリ１０は、そこからボルト１２とアーム１３が伸びるシート板１１を有する。シート板１１は吊下げ孔を貫通して接続され、アーム１３は回転式に殻にスナップ留めされる。回転ノブ２０はボルト１２と相互係合するネジ孔２４を有する一方、パッド本体３０は回転ノブ２０へ接続される。これにより、道具の助けのない状況下で、足パッド構造を電子装置から素早く取り外したり、これに組み合わせたりすることができる。【選択図】図１
0003152727.tif 000002
【実用新案登録請求の範囲】
【請求項１】
上に吊下げ孔が構成される殻を有する電子装置用の置換可能な足パッド構造であって、
そこからボルトとアームが伸び、および前記吊下げ孔を貫通することにより接続される一方、前記アームは回転式に殻内にスナップ留めされる、シート板を有する回転座屈アセンブリ；
前記ボルトと相互係合するネジ孔を有する回転ノブ；及び
前記回転ノブに接続されるパッド本体；
を含む足パッド構造。
【請求項２】
前記回転ノブは、中心から凸状シリンダが伸び、周辺から円形リングが伸びる板を有する、請求項１に記載の電子装置用の置換可能な足パッド構造。
【請求項３】
前記ネジ孔は、前記ボルトを有する終端固定が形成される前記板と前記凸状シリンダの両方に配置される止まりボルトである、請求項２に記載の電子装置用の置換可能な足パッド構造。
【請求項４】
複数の歯は前記円形リングの外周縁に形成される、請求項２に記載の電子装置用の置換可能な足パッド構造。
【請求項５】
前記パネル本体は前記凸状シリンダと前記円形リングにより囲まれる空間に収容され、および接着材を介して前記板に接着することにより相互接続される、請求項２に記載の電子装置用の置換可能な足パッド構造。
【請求項６】
前記板から離れた前記パッド本体の側面は前記円形リングの側面に凸状に露出する、請求項５に記載の電子装置用の置換可能な足パッド構造。
【請求項７】
前記パッド本体はゴム材料からできている、請求項１に記載の電子装置用の置換可能な足パッド構造。
【請求項８】
前記パッド本体は磁気素子である、請求項１に記載の電子装置用の置換可能な足パッド構造。
【請求項９】
上に吊下げ孔が構成される殻を有する電子装置用の置換可能な足パッド構造であって、
そこからボルトとアームが伸び、および前記吊下げ孔を貫通することにより接続される一方、前記アームは回転式に殻内にスナップ留めされる、シート板を有する回転座屈アセンブリ；
前記ボルトと相互係合するネジ孔を有する回転ノブ；
前記回転ノブに接続される金属板；
前記金属板に接続されるパッド本体；
を含む足パッド構造。
【請求項１０】
前記回転ノブは、中心から凸状シリンダが伸び、周辺から円形リングが伸びる板を有する、請求項９に記載の電子装置用の置換可能な足パッド構造。
【請求項１１】
前記ネジ孔は、前記ボルトを有する終端固定が形成される前記板と前記凸状シリンダの両方に配置される止まりボルトを有する、請求項１０に記載の電子装置用の置換可能な足パッド構造。
【請求項１２】
複数の歯は前記円形リングの外周縁に形成される、請求項１０に記載の電子装置用の置換可能な足パッド構造。
【請求項１３】
更に、接着材を介して前記金属板から離れた前記板の側面に接着することにより相互接続されるソフトスペーサを含む、請求項１０に記載の電子装置用の置換可能な足パッド構造。
【請求項１４】
前記パッド本体は前記凸状シリンダと前記円形リングにより囲まれる空間に収容され、および接着材を介して前記板に接着することにより相互接続される、請求項１０に記載の電子装置用の置換可能な足パッド構造。
【請求項１５】
前記板から離れた前記金属板と前記パッド本体の両方の側面は前記円形リングの側面に露出する、請求項１４に記載の電子装置用の置換可能な足パッド構造。
【請求項１６】
前記金属板と前記パッド本体の両方の側面は、前記円形リングの側面に凸状に露出し、および互いに重なることにより配置される、請求項１５に記載の電子装置用の置換可能な足パッド構造。
【請求項１７】
前記パッド本体はゴム材料からできている、請求項９に記載の電子装置用の置換可能な足パッド構造。
【請求項１８】
前記パッド本体は磁気素子である、請求項９に記載の電子装置用の置換可能な足パッド構造。
【考案の詳細な説明】
【技術分野】
【０００１】
この考案は、一般に置換可能な足パッド構造、特に電子装置用の置換可能な足パッド構造に関する。
【背景技術】
【０００２】
電子装置用の従来の足パッド構造は、主として電子装置の殻の底板へ接着される防振スペーサを提供することである。電子装置用足パッド構造として、その形状と寸法が製品設計の初期段階で決定されるので、異なる使用状況又は使用者の個人的好みに応じてそれらを変更することができない。従って、その使いやすさは非常に低下する。
【０００３】
上記問題を効果的に解決するため、関係する業界は磁気吸引力を有するパッド本体へスナップ留めと固定の機能を処理するため、電子装置の殻上にくさび型ホックを配置する。しかし、磁気パッド本体がくさび型ホックによりしっかりと固定できるようにするため、スナップ力は通常の使用者により引っ張られる操作力より大きくしなければならず、そのため、パッド本体を電子装置から分離することにより、取り外し作業を達成するため、溝付きネジ回しのような道具を使用しなければならず、実用上使用者に不便を掛けており、これは、実際緊急な改善を必要とすることである。
【考案の概要】
【０００４】
本考案は主として電子装置用置換可能な足パッド構造を提供することであり、これにより足パッド構造を何らかの道具の助けを必要としない状況下で、電子装置から素早く取り外したり、これに組み込むことができるようになる。
【０００５】
第二に、本考案はその上に吊下げ孔が構成される殻を有する電子装置用の置換可能な足パッド構造を提供することである。足パッド構造には回転座屈アセンブリ、回転ノブ、及びパッド本体がある。回転座屈アセンブリは、ここからボルトとアームが伸びるシート板を有する。シートプレートは吊下げ孔を貫通することにより接続され、アームは回転式で殻にスナップ留めされる。回転ノブはボルトと相互係合されるネジ孔を有する一方、パッド本体は回転ノブへ接続される。
【０００６】
第三に、本考案はその上に吊下げ孔が構成される殻を有する電子装置用の置換可能な足パッド構造を提供することである。足パッド構造には回転座屈アセンブリ、回転ノブ、金属板、及びパッド本体がある。回転座屈アセンブリはここからボルトとアームが伸びるシート板を有する。シート板は吊下げ孔を貫通することにより接続され、アームは回転式で殻へスナップ留めされる。回転ノブはボルトと相互係合するネジ孔を有する一方、金属板は回転ノブへ接続される。最後に、パッド本体は金属板へ接続される。
【０００７】
従来技術に比較して、本考案は以下の有利な機能を有する。最初に、ボルトと相互係合する場合、ネジ孔は、止まり孔設計が適用されるので、終端と固定の機能を達成できる。金属板と回転ノブ間の接続により、電子装置は金属材料からできた支持板へ磁気的に取り付けられ、これにより使用の利便性は更に向上する。第三に、この足パッドは使用者の個人的な好みに応じた設置を有する置換可能な機能を有するので、足パッド構造の形状と寸法を任意に変更することができる。
【０００８】
新規性があると考えられる本考案の特徴を付属の特許請求の範囲の特異性で説明する。しかし本考案自身は、付属図面と共に、本考案のいくつかの典型的実施例を記述する、本考案の以下の詳細記述を参照することにより最もよく理解される。
【図面の簡単な説明】
【０００９】
【図１】本考案の足パッド構造の斜視展開図である。
【図２】本考案の別の実施例による足パッド構造の斜視展開図である。
【図３】本考案の別の実施例による足パッド構造の組み合わせ図である。
【図４】電子装置へ適用される本考案の足パッド構造の斜視展開図である。
【図５Ａ】電子装置へ結合される本考案の足パッド構造の使用状態図である。
【図５Ｂ】電子装置へ結合される本考案の足パッド構造の使用状態図である。
【図５Ｃ】電子装置へ結合される本考案の足パッド構造の使用状態図である。
【図６】電子装置へ適用される本考案の足パッド構造の組み合わせ図である。
【図７】電子装置へ適用される本考案の足パッド構造の別の角度から見た組み合わせ図である。
【考案を実施するための形態】
【００１０】
付属図面と連携して、この考案の技術的内容と詳細記述は、その実施範囲を限定するために使用されるものではない、多くの好適実施例に応じて、以降に記述される。付属の特許請求の範囲に応じて実施される等価変更及び修正は、全てこの考案により請求される請求項によりカバーされる。
【００１１】
本考案の足パッドの斜視展開図を示す図１を参照されたい。本考案は電子装置用の置換可能な足パッド構造を提供することである。好適実施例によると、置換可能な足パッド構造は主として回転座屈アセンブリ１０、回転ノブ２０、及びパッド本体３０を含む。
【００１２】
回転座屈アセンブリ１０は、その側面からボルト１２が伸び、その周辺からアーム１３が伸びる円形シート板１１を有する。アーム１３とボルト１２は相互に垂直な構成で設置される。
【００１３】
回転ノブ２０は、その中心から凸状シリンダ２２が伸び、その周辺から円形リング２３が伸び、その側面上にネジ孔２４が配置される円形板２１を有する。このネジ孔２４は止まり孔で、部分的に凸状シリンダ２２の中心を通過する。ネジ孔２４がボルト１２と相互係合すると、終端機能及び固定機能を形成できる。更に、複数の歯２５が円形リング２３の外周縁に形成され、これにより回転手順中の滑り落ち現象を防止することができる。
【００１４】
防振と滑り抵抗機能を有するパッド本体３０は、ゴム材料からできており、又は磁気材料からできた磁気要素である。この好適実施例で、パッド本体３０は凸状シリンダ２２により囲まれた空間に収容される円形リングであり、円形リング２３は接着剤を介して板２１へ接着することにより相互接続される（図示なし）。板２１から離れたパッド本体３０の側面は円形リング２３の側面外側へ凸状に露出し（図３に示すように）、これによりこのパッド本体３０は、防振、滑り抵抗、又は磁気吸収を達成するため、支持面と接触する。
【００１５】
本考案の別の実施例による足パッド構造の、夫々、斜視展開図と組み立て図を示す図２と図３を参照されたい。この好適実施例で、置換可能な足パッド構造は、更に金属板４０を含み、これは凸状シリンダ２２と円形リング２３により囲まれる空間に収容され、接着剤を介して板２１へ接着することにより相互接続される一方、パッド本体３０も接着剤を介して、金属板４０へ接着することにより相互接続され、その両方の相互接続により、磁気吸収の優れた効果を有する磁気ループ操作が形成される。板２１から離れたこのパッド本体３０と金属板の側面は円形リング２３の側面へ露出し（図３に示す）、互いに重なることにより配置される。これによりこのパッド本体３０は防振、滑り抵抗及び磁気吸収を達成することができる。ところで、金属板４０その磁気的吸収特性を向上させることができ、鉄からできた支持面（例えば分離板）上で吸収することができる。
【００１６】
更に、本考案の足パッド構造は、更に接着剤を介して金属板４０から離れた板２１の側面へ接着することにより相互接続されるソフトスペーサ５０を含み、これにより回転ノブ２０と電子装置の間の摩擦を防止することができ、電子装置８外面のキズの発生も回避することができる（図４に示すように）。
【００１７】
図４〜図７を参照されたい。先に述べた各構成要素を組み合わせた後、それを電子装置８（例えば、広帯域ミキサ）へ適用することができる。この電子装置８は殻８１を有し、その裏板上に、少なくとも１つの吊下げ孔８２が構成される。組み合わせ中、回転座屈アセンブリ１０のシート板１１とアーム１３は吊下げ孔８２へ挿入され（図５Ａに示すように）、次に、吊下げ孔８２の孔構成に沿って斜め方向への直線移動を行い、これによりシート板１１の位置は吊下げ孔８２内に限定される（図５Ｂに示すように）。次に、回転ノブ２０と回転座屈アセンブリ１０は、アーム１３が殻８１の吊下げ孔８２をスナップ留めにより固定されるように回転する（図５Ｃに示すように）。回転ノブ２０のネジ孔２４は止まり孔であり、回転ノブが回転すると、回転座屈アセンブリ１０が回転ノブ２０に追従することにより回転するように、回転座屈アセンブリ１０のボルト１２としっかりと相互係合できる。反対に、この足パッドアセンブリを取り外そうとする場合、回転ノブ２０は反対方向へ回転し、アーム１３も同じであり、次に、回転座屈アセンブリ１０のシート板１１は吊下げ孔の中心へ動き、これにより足パッド構造を殻８１から速やかに取り外すことができる。
【００１８】
上記を要約して、本考案の置換可能な足パッド構造は、真に電子装置にとって欠くことのできない新規構造であり、これは従来技術の欠点を解決するための期待される使用目的に積極的に到達し、新型特許の適用メリットを完全に満足させるための革新と進歩を非常に有し、これにより本考案はそれに応じて適用される。適用を注意深く調査し、考案者の権利を保護するため、正式な特許としてそれを許諾して欲しい。
【００１９】
しかし、上の記述は、本考案の特許範囲を限定するために使用されるものではなく、この考案による多くの好適実施例のみであり、例えば明細書や図面のような、この考案の内容に対して行われる等価の構造的変更は、全てこの後で請求する特許請求の範囲によりカバーされる。
【符号の説明】
【００２０】
8：電子装置
10：アセンブリ
11：シート板
12：ボルト
13：アーム
20：回転ノブ
21：円形板
22：凸状シリンダ
23：円形リング
24：ネジ孔
25：歯
30：パッド本体
40：金属板
50：ソフトスペーサ
【図１】
0003152727.tif 000003
【図２】
0003152727.tif 000004
【図３】
0003152727.tif 000005
【図４】
0003152727.tif 000006
【図５】
0003152727.tif 000007
【図６】
0003152727.tif 000008
【図７】
0003152727.tif 000009
【図８】
0003152727.tif 000010
【図９】
0003152727.tif 000011
【手続補正書】
【提出日】平成21年7月1日(2009.7.1)
【手続補正１】
【補正対象書類名】図面
【補正対象項目名】全図
【補正方法】変更
【補正の内容】
【図１】
0003152727.tif 000012
【図２】
0003152727.tif 000013
【図３】
0003152727.tif 000014
【図４】
0003152727.tif 000015
【図５Ａ】
0003152727.tif 000016
【図５Ｂ】
0003152727.tif 000017
【図５Ｃ】
0003152727.tif 000018
【図６】
0003152727.tif 000019
【図７】
0003152727.tif 000020